(57)【要約】【課題】電子ズーム状態などで、主被写体の検出性能の低下を改善することが可能な焦点調節装置及び方法を提供する。【解決手段】焦点調節装置は、光電変換手段の有効撮像領域に投影された被写体像の出力信号を抽出する手段と、この手段の出力信号より被写体の特定周波数帯域の輝度信号を抽出する抽出手段を有する。撮影準備前に、フォーカスレンズを移動させると共に、焦点検出領域における抽出手段の出力信号をフォーカスレンズの位置と関連づけて取得するＡＦスキャン動作を行い、主被写体領域を特定する第１の動作を実施する。撮影準備時に、ＡＦスキャン動作を行って合焦動作をする第２の動作を実施する。撮影準備前に、抽出された出力信号が有効撮像領域に投影された被写体像の一部に該当するものである場合、第１の動作とは異なる第３の動作を実施して主被写体領域を特定する。【選択図】図１２
2011043633.tif 000002
【特許請求の範囲】
【請求項１】
フォーカスレンズを介して入射された被写体像を電気信号に変換する光電変換手段と、
前記光電変換手段の出力信号より、前記光電変換手段の有効撮像領域に投影された被写体像の出力信号を抽出する出力信号切り出し手段と、
前記出力信号切り出し手段の出力信号より被写体の輝度に関する特定周波数帯域の信号成分を抽出する抽出手段と、
装置全体の動作を制御する制御手段と、を有し、
前記制御手段は、
撮影準備前に、前記フォーカスレンズを移動させると共に、設定された焦点検出領域における前記抽出手段の出力信号を前記フォーカスレンズの位置と関連づけて取得するＡＦスキャン動作を行って、合焦すべき被写体領域を特定する第１の動作を実施し、
撮影準備時に、前記ＡＦスキャン動作を行って合焦動作をする第２の動作を実施し、
撮影準備前において、前記出力信号切り出し手段により抽出された出力信号が有効撮像領域に投影された被写体像の一部に該当するものである場合には、前記第１の動作とは異なる第３の動作を実施して、合焦すべき被写体領域を特定することを特徴とする焦点調節装置。
【請求項２】
前記第３の動作では、前記ＡＦスキャン動作における焦点検出領域の大きさと数の少なくとも一方を前記第１の動作とは異なる様に設定することを特徴とする請求項１に記載の焦点調節装置。
【請求項３】
前記第３の動作では、前記ＡＦスキャン動作における前記光電変換手段の動作モード及び前記抽出手段における特定周波数帯域を前記第１の動作とは異なる様に設定することを特徴とする請求項１又は２に記載の焦点調節装置。
【請求項４】
フォーカスレンズを介して入射された被写体像を電気信号に変換する光電変換手段と、前記光電変換手段の出力信号より前記光電変換手段の有効撮像領域に投影された被写体像の出力信号を抽出する出力信号切り出し手段と、前記出力信号切り出し手段の出力信号より被写体の輝度に関する特定周波数帯域の信号成分を抽出する抽出手段とを有する装置における焦点調節方法であって、
撮影準備前に、フォーカスレンズを移動させると共に、設定された焦点検出領域における抽出手段の出力信号をフォーカスレンズの位置と関連づけて取得するＡＦスキャン動作を行って、合焦すべき被写体領域を特定する第１の動作を実施する第１の工程と、
撮影準備時に、前記ＡＦスキャン動作を行って合焦動作をする第２の動作を実施する第２の工程と、
撮影準備前において、出力信号切り出し手段により抽出された出力信号が有効撮像領域に投影された被写体像の一部に該当するものである場合には、前記第１の動作とは異なる第３の動作を実施して、合焦すべき被写体領域を特定する第３の工程と、を含むことを特徴とする焦点調節方法。
【発明の詳細な説明】
【技術分野】
【０００１】
本発明は、焦点調節機能を有する電子スチルカメラなどの撮像装置等に適用される焦点調節装置、焦点調節方法等に関する。
【背景技術】
【０００２】
従来、電子スチルカメラやビデオカメラなどではオートフォーカス（ＡＦとも記す）を行う場合、ＣＣＤ（電荷結合素子）などを用いた撮像素子から得られる輝度信号の高域周波数成分が最大になるレンズ位置を合焦位置とする方式が用いられている。この方式の１つとして、次のスキャン方式が知られている。即ち、レンズ移動範囲の全域に亘ってレンズを駆動しながら撮像素子から得られる被写体の輝度信号の高域周波数成分に基づく評価値（焦点評価値とも記す）をその都度記憶していき、記憶した値のうち、最大値に対応するレンズ位置を合焦位置とする。
【０００３】
もう１つの方式として、焦点評価値が増加する方向にレンズを動かし、焦点評価値が最大になる位置を合焦位置とする山登り方式（所謂Ｃｏｎｔｉｎｕｏｕｓ  ＡＦ。コンティニュアスＡＦとも記す）が知られている。
【０００４】
また、これまでに、撮影準備指示前にコンティニュアスＡＦを行い合焦状態を維持することで、撮影準備指示後に行なうスキャン方式によるＡＦのレンズ移動範囲を制限し、ＡＦ動作の時間を短縮する方法がある（特許文献１参照）。
【先行技術文献】
【特許文献】
【０００５】
【特許文献１】特許第４１０６４８５号公報
【発明の概要】
【発明が解決しようとする課題】
【０００６】
前記コンティニュアスＡＦにおいて、焦点評価値の増加する方向にレンズを動かそうとした場合、画面内における合焦すべき領域が分からないと、合焦すべき被写体にピントを合わせることができない。特許文献１では、前記コンティニュアスＡＦにおいて、前記スキャン方式を組み合わせることでより合焦動作を早くしている。しかし、ユーザーがピントを合わせたいと考えている画面内の合焦すべき被写体（主被写体とも記す）を判断していないので、撮影シーンによっては、合焦すべき被写体にピントを合わせることができないという事態が起こり得る。
【０００７】
一方で、撮像素子の有効撮像領域に投影された画像の一部の領域を拡大して表示する電子ズームでは、表示される画像の画素数は、電子ズームしない場合に比べて少なくなる。従って、電子ズーム時に表示される画像に対して、電子ズームをしない時と同じ態様で焦点検出領域から成るＡＦ枠を設定すると、電子ズームしない時に比べてＡＦ枠を構成する画素数が少なくなる。このとき、各画素の出力はノイズを含むため、焦点評価値を算出する際に使用する画像データ数が少なくなる。よって、ノイズ成分の影響を受けやすくなり、その結果、焦点評価値のＳ／Ｎが低下する事態が起こり得る。
【課題を解決するための手段】
【０００８】
上記課題に鑑み、本発明では、フォーカスレンズを介して入射された被写体像を電気信号に変換する光電変換手段と、光電変換手段の出力信号より光電変換手段の有効撮像領域に投影された被写体像の出力信号を抽出する出力信号切り出し手段と、出力信号切り出し手段の出力信号より被写体の輝度に関する特定周波数帯域の信号成分を抽出する抽出手段とを有する装置において、
撮影準備前に、フォーカスレンズを移動させると共に、設定された焦点検出領域における抽出手段の出力信号をフォーカスレンズの位置と関連づけて取得するＡＦスキャン動作を行って、合焦すべき被写体領域を特定する第１の動作を実施し、
撮影準備時に、前記ＡＦスキャン動作を行って合焦動作をする第２の動作を実施し、
撮影準備前において、出力信号切り出し手段により抽出された出力信号が有効撮像領域に投影された被写体像の一部に該当するものである場合には、前記第１の動作とは異なる第３の動作を実施して、合焦すべき被写体領域を特定する。
【発明の効果】
【０００９】
本発明によれば、合焦すべき被写体の検出性能の低下を抑え、当該被写体に素早くピントを合わせることが可能となる。
【図面の簡単な説明】
【００１０】
【図１】本発明による焦点調節装置の一実施例を含む撮像装置を示すブロック図。
【図２】本発明による焦点調節装置の一実施例の動作を示すフローチャート。
【図３】合焦判定のサブルーチンを示すフローチャートと合焦判定法を説明する図。
【図４】図２のフローチャートで現れる被写体領域特定ＡＦスキャンのサブルーチンと該ＡＦスキャンに際して設定されたＡＦ枠の例を説明する図。
【図５】主被写体領域判定のサブルーチンを示すフローチャート。
【図６】主被写体領域判定のサブルーチンを説明するための図。
【図７】図４（ａ）のフローチャートで現れるフォーカス駆動のサブルーチンを示すフローチャート。
【図８】図２のフローチャートで現れるコンティニュアスＡＦのサブルーチンを示すフローチャート。
【図９】図２のフローチャートで現れる撮影処理のサブルーチンを示すフローチャート。
【図１０】図９のフローチャートで現れる本露光用ＡＦのサブルーチンと図１０（ａ）のフローチャートで現れる本露光用ＡＦスキャンのサブルーチンを示すフローチャート。
【図１１】図９のフローチャートで現れる本露光処理のサブルーチンを示すフローチャート。
【図１２】図２のフローチャートで現れる被写体領域特定用ＡＦ枠設定処理のサブルーチンと被写体領域特定用ＡＦ枠設定処理を説明する図。
【図１３】本発明による焦点調節装置の他の実施例の図２における被写体領域特定用ＡＦ枠設定処理のサブルーチンと被写体領域特定用ＡＦ枠設定処理を説明する図。
【発明を実施するための形態】
【００１１】
以下、本発明の実施の形態について説明する。本発明の焦点調節装置及び方法において重要なことは、次の点である。撮影準備前に、前記出力信号切り出し手段で抽出された出力信号が有効撮像領域に投影された被写体像の一部に該当するものである場合には、そうでない場合の態様とは異なる態様で、合焦すべき被写体領域を特定することである。
【００１２】
上記考え方に基づき、本発明の焦点調節装置及び方法の基本的な実施形態は、次の様な構成を有する。焦点調節装置は、光電変換手段と、出力信号切り出し手段と、抽出手段と、制御手段とを有する。光電変換手段は、フォーカスレンズを用いて結像された被写体像を電気信号に変換するＣＣＤ、ＣＭＯＳなどの撮像素子である。出力信号切り出し手段は、光電変換手段の出力信号より、光電変換手段の有効撮像領域に投影された被写体像の一部若しくは全てに該当する出力信号を抽出する。抽出手段は、出力信号切り出し手段の出力信号より被写体の輝度に関する特定周波数帯域の信号成分（典型的には高周波成分）を抽出する。制御手段は、装置全体の動作を制御する。即ち、撮影準備前に、設定された焦点検出領域における抽出手段の出力信号をフォーカスレンズの位置と関連づけて取得するＡＦスキャン動作を行って、合焦すべき被写体領域を特定する第１の動作を実施する。撮影準備時には、前記ＡＦスキャン動作を行って合焦動作をする第２の動作を実施する。また、撮影準備前において、出力信号切り出し手段により抽出された出力信号が有効撮像領域に投影された被写体像の一部に該当するものである場合には、前記第１の焦点動作とは異なる第３の動作を実施して、合焦すべき被写体領域を特定する。
【００１３】
また、焦点調節方法は、光電変換手段と出力信号切り出し手段と抽出手段とを有する装置における焦点調節方法であって、次の工程を含む。第１の工程では、前記ＡＦスキャン動作を行って、合焦すべき被写体領域を特定する第１の動作を実施する。第２の工程では、撮影準備時に、前記ＡＦスキャン動作を行って合焦動作をする第２の動作を実施する。第３の工程では、撮影準備前において、出力信号切り出し手段により抽出された出力信号が有効撮像領域に投影された被写体像の一部に該当するものである場合には、前記第１の動作とは異なる第３の動作を実施して、合焦すべき被写体領域を特定する。
【００１４】
前記基本的な実施形態に基づいて、次に述べる様なより具体的な実施形態が可能である。前記第３の動作で、焦点評価値のＳ／Ｎ低下による主被写体領域の検出性能の低下を抑制する様に前記ＡＦスキャン動作における焦点検出領域の大きさと数の少なくとも一方を前記第１の動作とは異なる様に設定することができる（実施例１参照）。また、これに代わって、或いは加えて、前記第３の動作で、前記ＡＦスキャン動作における光電変換素子の動作モード及び抽出手段における特定周波数帯域を前記第１の動作とは異なる様に設定することができる（実施例２参照）。
【００１５】
（実施例１）
以下、図面を参照しながら本発明の実施例を説明する。本発明の焦点調節装置の一実施例を備える撮像装置である電子カメラの構成を示す図１において、１０１は、ズーム機構を含む撮影レンズである。１０２は、入射光量を制御する絞り及びシャッターである。１０３はＡＥ（Ａｕｔｏｍａｔｉｃ  Ｅｘｐｏｓｕｒｅ）処理部である。１０４は、後述する撮像素子上に焦点を合わせるためのフォーカスレンズである。１０５は、フォーカスレンズ１０４の駆動手段を含むＡＦ処理部である。１０６はストロボである。１０７はＥＦ（フラッシュ調光）処理部である。１０８は、被写体からの反射光を電気信号に変換する光電変換手段としての撮像素子である。１０９は、撮像素子１０８の出力ノイズを除去するＣＤＳ（相関二重サンプリング処理）回路やＡ／Ｄ変換前に処理を行う非線形増幅回路を含むＡ／Ｄ変換部である。１１０は画像処理部である。これは、光電変換手段の出力信号より撮像素子の有効撮像領域に投影された画像の一部又は全てに該当する出力信号を抽出する出力信号切り出し手段と該手段の出力信号より被写体の輝度に関する特定周波数帯域の信号成分を抽出する抽出手段を含む。１１１はＷＢ（ホワイトバランス）処理部である。１１２はフォーマット変換部である。
【００１６】
１１３は、高速な内蔵メモリ（例えばランダムアクセスメモリなど、ＤＲＡＭとも記す） である。１１４は、メモリーカードなどの記録媒体とそのインターフェースからなる画像記録部である。１１５は、装置全体の動作を制御する制御手段として撮影シーケンスなどシステムを制御するシステム制御部（ＣＰＵとも記す）である。１１６は画像表示用メモリ（ＶＲＡＭとも記す） である。１１７は、画像表示、操作補助のための表示やカメラ状態の表示の他、撮影時には撮影画面と焦点検出領域を表示する操作表示部である。１１８は、カメラを外部から操作するための操作部である。１１９は、顔検出モードをＯＮまたはＯＦＦに切り替える等の設定を行う撮影モードスイッチである。１２０は、システムに電源を投入するためのメインスイッチである。１２１は、ＡＦやＡＥ等の撮影スタンバイ動作を行うためのスイッチ（ＳＷ１とも記す） である。１２２は、ＳＷ１の操作後、撮影を行う撮影スイッチ（ＳＷ２とも記す）である。１２３は、画像処理部１１０で処理された画像信号を用いて顔検出を行い、検出した１つ又は複数の顔情報（位置・大きさ・信頼度）をＣＰＵ１１５に送る顔検出モジュールである。１２４は、画面内の被写体及び背景が動いているかどうかを検出して動体情報をシステム制御部１１５に送る動体検出部である。１２５は、カメラ自体の角速度を検出してカメラ動き情報をＣＰＵ１１５に送る角速度センサ部である。
【００１７】
前記ＤＲＡＭ１１３は、一時的な画像記憶手段としての高速バッファとして、或いは画像の圧縮・伸張における作業用メモリなどに使用される。前記操作部１１８には、例えば次の様なものが含まれる。撮像装置の撮影機能や画像再生時の設定などの各種設定を行うメニュースイッチ、撮影レンズのズーム動作を指示するズームレバー、撮影モードと再生モードの動作モード切換えスイッチ、などである。
【００１８】
次に、図２のフローチャートを参照しながら本実施例に係る電子カメラの動作を説明する。まず、Ｓ２０１では、ＣＰＵ１１５が、撮影準備を指示するＳＷ１の状態（ＯＮ／ＯＦＦ）を判定し、該状態がＯＮ（オン）状態（撮影準備時）ならばＳ２１２へ進み、ＯＦＦ（オフ）状態（撮影準備前）の場合にはＳ２０２へ進む。Ｓ２０２では、所定の手順に従ってシーン安定判断を行う。Ｓ２０３では、Ｓ２０２において撮影シーンが安定したと判断したかどうかを調べ、安定したと判断していればＳ２０４へ進み、安定したと判断されていなければＳ２０１へ戻る。ここで、撮影シーンが安定した状態とは、撮影する被写体、カメラの状態が安定して維持され、撮影に適した状態になっていることである。
【００１９】
Ｓ２０４では、顔検出モジュール１２３において顔検出されたかどうかを調べ、顔検出されていればＳ２０７へ進み、顔検出されていなければＳ２０５へ進む。Ｓ２０７では、所定の手順に従って顔検出時ＡＦスキャンを行い、Ｓ２０９へ進む。Ｓ２０５では、被写体領域特定用のＡＦ枠設定を行う。ＡＦ枠とは、画面内の焦点評価値を取得する領域のことである。また、焦点評価値とは、撮像素子１０８から読み出されたアナログ映像信号をＡ／Ｄ変換部１０９がデジタル信号に変換し、その出力から画像処理部１１０が輝度信号の高周波成分を抽出した値のことである。この被写体領域特定用のＡＦ枠設定の詳細については図１２を用いて後述する。
【００２０】
Ｓ２０６では、被写体特定実施フラグがＴＲＵＥか否かを判断する。ＴＲＵＥである場合はＳ２０８の被写体領域特定ＡＦスキャンを実施し、ＦＡＬＳＥである場合はＳ２０９のコンティニュアスＡＦに進む。Ｓ２０８では、後述する手順に従って被写体領域を特定するためのＡＦスキャンを行う（図４参照）。Ｓ２０９では、後述する手順に従ってコンティニュアスＡＦを行う（図８参照）。ここで、コンティニュアスＡＦを行わずに、単純に１回だけ、特定された被写体領域について合焦動作を行ったり、単に被写体領域を特定するのみに止めたりして、前記第２の動作に引き継がせるということも可能である。
【００２１】
Ｓ２１０では、所定の手順に従ってシーン不安定判断を行う。Ｓ２１１では、Ｓ２１０において撮影シーンが不安定と判断されたかどうかを調べ、不安定となっていればＳ２０１へ進み、不安定となっていなければＳ２０９へ進む。ここで、撮影シーンが不安定とは、撮影する被写体の状態、カメラの状態が不安定となり、撮影に適した状態ではなくなることである。Ｓ２１２では、合焦度判定フラグをＦＡＬＳＥにする。Ｓ２１３では、後述する手順に従って撮影処理を行う（図９参照）。
【００２２】
上述した動作と並行して、常にＣＰＵ１１５からの制御信号に基づきＡＥ処理部１０３により、絞り及びシャッター１０２を制御して操作表示部１１７に表示される画像の明るさが適正になる様にＡＥ動作を行っている。
【００２３】
次に、前記顔検出時ＡＦスキャンや後述する図５の主被写体領域判定の過程における合焦判定のサブルーチンについて図３を用いて説明する。焦点評価値は、遠近競合などの場合を除けば、横軸にフォーカスレンズ位置、縦軸に焦点評価値をとると、その形は図３（ｂ）に示す様な山状になる。そこで、焦点評価値の、最大値と最小値の差、一定値（Slope Thr）以上の傾きで傾斜している部分の長さ、傾斜している部分の勾配から、山の形状を判断することにより、合焦判定を行うことができる。
【００２４】
合焦判定における判定結果は、以下に示す様に○判定、×判定で出力される。
○判定：被写体のコントラストが十分、且つスキャンした距離範囲内の距離に被写体が存在する。
×判定：被写体のコントラストが不十分、若しくはスキャンした距離範囲外の距離に被写体が位置する。
また、×判定のうち、至近側方向のスキャンした距離範囲外に被写体が位置する場合を△判定とする。
【００２５】
山の形状を判断する為の、一定値以上の傾きで傾斜している部分の長さＬ、傾斜している部分の勾配ＳＬ／Ｌを、図３（ｂ）を用いて説明する。ＳＬは傾斜している部分の山の高さを示す。山の頂上（Ａ点）から傾斜が続いていると認められる点をＤ点、Ｅ点とし、Ｄ点とＥ点の幅を山の幅Ｌとする。傾斜が続いていると認める範囲は、Ａ点から、所定量（Slope Thr）以上、焦点評価値が下がったスキャンポイントが続く範囲とする。スキャンポイントとは、連続的にフォーカスレンズを動かして、スキャン開始点からスキャン終了点まで移動する間に、焦点評価値を取得するポイントのことである。Ａ点とＤ点の焦点評価値の差ＳＬ１とＡ点とＥ点の焦点評価値の差ＳＬ２の和ＳＬ１＋ＳＬ２をＳＬとする。
【００２６】
図３（ａ）のフローチャートにおいて、Ｓ６０１では、焦点評価値の最大値と最小値を求め、次にＳ６０２では焦点評価値が最大となるスキャンポイントを求め、Ｓ６０３へ進む。Ｓ６０３では、スキャンポイント、焦点評価値から、山の形状を判断する為のＬ、ＳＬを求め、Ｓ６０４へ進む。Ｓ６０４では、山の形状が至近側登り止まりかを判断する。至近側登り止まりであると判断するのは、次の２つの条件を満たす場合である。１つの条件は、焦点評価値が最大値となるスキャンポイントがスキャンを行った所定範囲における至近端であることである。もう１つの条件は、至近端のスキャンポイントでの焦点評価値と、至近端のスキャンポイントより１ポイント分無限遠よりのスキャンポイントでの焦点評価値との差が、所定値以上であることである。至近側登り止まりだと判断した場合は、Ｓ６０９へ進み、そうでなければＳ６０５へ進む。Ｓ６０５では、山の形状が無限遠側登り止まりかを判断する。無限遠側登り止まりだと判断するのは、次の２つの条件を満たす場合である。１つの条件は、焦点評価値の最大値となるスキャンポイントがスキャンを行った所定範囲における無限遠端であることである。もう１つの条件は、無限遠端スキャンポイントにおける焦点評価値と、無限遠端スキャンポイントより１ポイント分至近端よりのスキャンポイントにおける焦点評価値との差が、所定値以上であることである。無限遠側登り止まりだと判断した場合は、Ｓ６０８へ進み、そうでなければＳ６０６へ進む。
【００２７】
Ｓ６０６では、一定値以上の傾きで傾斜している部分の長さＬが所定値以上、且つ傾斜している部分の傾斜の平均値ＳＬ／Ｌが所定値以上、且つ焦点評価値の最大値（Max）と最小値（Min）の差が所定値以上であれば、Ｓ６０７へ進む。そうでなければ、Ｓ６０８へ進む。Ｓ６０７では、得られた焦点評価値が山状となっていて、被写体にコントラストがあり、焦点調節が可能である為、判定結果を○判定としている。Ｓ６０８では、得られた焦点評価値が山状となっておらず、被写体にコントラストがなく、焦点調節が不可能である為、判定結果を×判定としている。Ｓ６０９では、得られた焦点評価値が山状となってはいないが、至近側方向に登り続けている状態となっており、更に至近側に被写体ピークが存在している可能性がある為、判定結果を△判定としている。以上の様にして、合焦判定を行う。
【００２８】
次に、図１２（ａ）のフローチャートを参照しながら本実施例における被写体領域特定用ＡＦ枠設定処理（前記第１の動作と第３の動作）について説明する。まず、Ｓ２７０１では、電子ズームをしているかどうかを調べ、電子ズームをしていなければＳ２７０３へ進み、電子ズームしている場合はＳ２７０２へ進む。Ｓ２７０３では、電子ズームでない場合のＡＦ枠設定を行う。本実施例中では、図１２（ｂ）に示す様に電子ズーム状態でない場合はＡＦ枠の大きさを縦横の長さ共に画面の１５％とし、Ｎ１＝５で５×５のＡＦ枠設定を実施するものとする。次にＳ２７０６にて、被写体領域特定実施フラグをＴＲＵＥに設定し処理を終了する。先に図２を用いて説明した通り、このフラグ値の状態に応じて、図２のＳ２０８の被写体領域特定スキャンを実施するか、Ｓ２０９のコンティニュアスＡＦを実施するかが切り替わる。
【００２９】
一方、電子ズーム状態である場合にはＳ２７０２に進む。Ｓ２７０２では現在の電子ズーム倍率が２倍か否かを判断し、２倍である場合にはＳ２７０４に進み、２倍でない場合はＳ２７０５に進む。なお、本実施例における電子ズーム倍率は等倍、２倍、４倍とするが、これに限定されるものではない。Ｓ２７０４では、電子ズーム２倍時のＡＦ枠設定を行う。本実施例中では、図１２（ｃ）に示す様に電子ズーム２倍である場合はＡＦ枠の大きさを縦横の長さ共に画面の３０％とし、Ｎ２＝３で３×３のＡＦ枠設定を実施するものとする。次にＳ２７０６にて、被写体領域特定実施フラグをＴＲＵＥに設定し処理を終了する。
【００３０】
一方、Ｓ２７０５では、電子ズーム４倍時のＡＦ枠設定を行う。本実施例中では、図１２（ｄ）に示す様に電子ズーム４倍である場合はＡＦ枠の大きさを縦横の長さ共に画面の６０％とし、１×１のＡＦ枠設定を実施するものとする。次にＳ２７０７にて、被写体領域特定実施フラグをＦＡＬＳＥに設定し処理を終了する。つまり、ＡＦ枠が１×１の場合は、図２のＳ２０８被写体領域特定ＡＦスキャンには行かず、Ｓ２０９のコンティニュアスＡＦを実行する様にする。これまで述べてきた本実施例における電子ズームの倍率、画面サイズ、ＡＦ枠サイズ、及びＡＦ枠の構成画素数の関係をまとめると次の表１の様になる。
【００３１】
【表１】
2011043633.tif 000003
【００３２】
以上説明してきた通り、本実施例中における被写体領域特定用ＡＦ枠設定処理では、電子ズームの倍率に応じて被写体領域特定用ＡＦスキャンで使用するＡＦ枠の大きさを切り替える。ここで電子ズームとは、画面中央領域を拡大して操作表示部１１７に表示することである。拡大するため操作表示部に表示される画像の画素数は電子ズームしない時に比べて少なくなる。従って、電子ズーム時に操作表示部１１７に表示される画像に対して、電子ズームをしない時と同じ態様でＡＦ枠を設定した場合、電子ズームしない時に比べてＡＦ枠を構成する画素数が少なくなる。各画素の出力はノイズを含むため、焦点評価値を算出する際に使用する画像データ数が少なくなることでノイズ成分の影響を受けやすくなり、その結果、焦点評価値のＳ／Ｎが低下する。そこで、本実施例では、電子倍率に応じてＡＦ枠の数と大きさを変更し、電子ズーム時のＡＦ枠を構成する画素数が一定になる様に制御する。このことで焦点評価値のＳ／Ｎの低下を防ぐことが可能となる。
【００３３】
なお、ＡＦ枠の大きさと数に関して、本発明は本実施例のものに限定されない。例えば、ＡＦ枠の大きさは画面内の主被写体の存在確率を考慮し、電子ズーム倍率が大きいほど大きく設定してもよい。また、水平方向と垂直方向でＡＦ枠数が異なる設定であってもよい。また、電子倍率に応じて、必ずしもＡＦ枠の数と大きさの両方を変更しなくてもよく、一方のみを変更してもよい。
【００３４】
次に図４（ａ）は、図２におけるＳ２０８の被写体領域特定ＡＦスキャンを説明するフローチャートである。ここでは、画面内の主被写体の領域を特定するためのＡＦスキャンを行う。まず、Ｓ８０１では、所定の手順に従って前回参照判定を行う。前回参照判定では、前回ＡＦスキャンを行った撮影シーンに対して、今回、撮影シーンがあまり変化していないかどうかを判定する。Ｓ８０２では、Ｓ８０１において前回参照判定した結果、前回と撮影シーンがあまり変わらないと判定された場合はＳ８０３へ進み、そうでなければＳ８０６へ進む。Ｓ８０３では、所定の手順に従って前回参照ＡＦスキャンを行う。前回参照ＡＦスキャンでは、前回の撮影シーンとあまり変わらないか否かの判断に基づきスキャン範囲の広狭を決定する。Ｓ８０４では、Ｓ８０３の前回参照ＡＦスキャンにおいて主被写体領域が特定できたかどうかを調べ、主被写体領域が特定できていればＳ８０５へ進み、そうでなければＳ８０６へ進む。
【００３５】
Ｓ８０５では、ピーク検出フラグをＴＲＵＥにする。Ｓ８０６では、所定の手順に従ってゾーンＡＦスキャンを行う。ゾーンとは、合焦可能レンズ移動範囲を複数の範囲に分割した際の１つ１つの範囲のことを指す。Ｓ８０７では、Ｓ８０６のゾーンＡＦスキャンにおいて主被写体領域が特定できたかどうかを調べ、主被写体領域が特定できていればＳ８０５へ進み、そうでなければＳ８０８へ進む。Ｓ８０８では、所定の手順に従って一様面判断を行う。Ｓ８０９では、Ｓ８０６のゾーンＡＦスキャンにおいて主被写体領域が特定できなかったので、画面内に予め設定してある所定領域にＡＦ枠を設定する。ここで、所定領域は、例えば画面の中央領域に１枠設定するなど、主被写体が存在しそうな領域に設定する。Ｓ８１０では、後述する手順に従ってフォーカス駆動を行う（図７参照）。なお、図４（ｂ）は、図４（ａ）の被写体領域特定ＡＦスキャン時におけるＡＦ枠の例（上記図１２（ａ）の被写体領域特定用ＡＦ枠設定処理で設定された例）を示す図である。
【００３６】
図５は、上記前回参照ＡＦスキャンやゾーンＡＦスキャンの過程で実行される主被写体領域判定を説明するフローチャートである。ここでは、画面内の主被写体領域が特定できたかどうかを判定する。図６は、図５における主被写体領域判定の例を説明する図である。この例では、ＡＦ枠サイズの大きさを画面の１０％、Ｎ＝５、スキャン範囲を０〜５００、所定深度範囲を±１０とする。なお、スキャン範囲及び所定深度範囲の数値はフォーカスレンズ１０４の位置を表す数値である。これは、フォーカスレンズ１０４の駆動用モータにステッピングモータを使用する場合のパルス数に相当し、値が大きい方が至近側とする。
【００３７】
まず、Ｓ１２０１では、設定した各ＡＦ枠全てにおいて、前述した図３（ａ）の合焦判定を行う。例えば、各ＡＦ枠において図６（a）に示す様な合焦判定結果となるとする。Ｓ１２０２では、各ＡＦ枠における焦点評価値のピーク位置（以下PeakPosと記す）を算出して記憶しておく。例えば、各ＡＦ枠において図６（ｂ）に示す様なピーク位置算出結果になるとする。Ｓ１２０３では、設定しているＡＦ枠が１枠かどうかを調べ、設定しているＡＦ枠が１枠であればＳ１２１４へ進み、そうでなければＳ１２０４へ進む。
【００３８】
Ｓ１２０４では、中央Ｍ×Ｍ枠の各ＡＦ枠のPeakPosを至近順にソートし、ソートされた数をＳとする。以下の説明ではＭ＝３とする。図６の太線で囲んだ縦３枠、横３枠の合計９枠がこれを示す。ここで、Ｓ１２０１の合焦判定で×判定のＡＦ枠ではピーク位置が算出できないのでソートの対象としない。例えば、図６（ｂ）の場合は、至近順に４１０、４００、４００、４００、１００、１００、１００、９０とソートされ、ソート数Ｓ＝８となる。
【００３９】
Ｓ１２０５では、Ｓ１２０２で算出したＭ×Ｍ枠内のピーク位置の至近順を示すカウンタＰを１に設定する。Ｓ１２０６では、ソート順でＰ番目のPeakPosをPeakPosＰとする。例えば、図６（ｂ）の例はＰ＝１の場合、PeakPosＰ＝４１０となる。Ｓ１２０７では、中央のＭ×Ｍ個のＡＦ枠中において○判定であって且つPeakPosＰの枠に対して所定深度範囲内のＡＦ枠の「かたまり」を検出し、「かたまり」を構成するＡＦ枠の数と各ＡＦ枠の位置を記憶しておく。ここで、「かたまり」とは、例えば、条件を満たすＡＦ枠が上下左右に隣接している状態のものである。また、「かたまり」が複数存在する場合には、「かたまり」を構成するＡＦ枠の数や「かたまり」の位置に基づいて、複数の「かたまり」のうちの１つを選択してもよい。
【００４０】
Ｓ１２０８では、中央のＮ×Ｎ個のＡＦ枠中において、中央のＭ×Ｍ個のＡＦ枠中の枠を１枠以上含む様に、○判定であって且つPeakPosＰに対して所定深度内の「かたまり」を検出する。そして、「かたまり」を構成するＡＦ枠の数と各ＡＦ枠の位置を記憶しておく。例えば、図６（ａ）、（ｂ）の様な判定結果に対して、図６（ｃ）に灰色の枠で示す様な「かたまり」が検出される。
【００４１】
Ｓ１２０９では、Ｓ１２０７又はＳ１２０８で検出した「かたまり」が中央枠を含む「かたまり」であるかどうかを調べ、中央枠を含む「かたまり」であればＳ１２１５へ進み、そうでなければＳ１２１０へ進む。Ｓ１２１０では、Ｓ１２０７又はＳ１２０８で検出した「かたまり」が、Ｍ×Ｍ枠内に所定枠数以上含む「かたまり」であるかどうかを調べ、そうであればＳ１２１５へ進み、そうでなければＳ１２１１へ進む。Ｓ１２１１では、Ｓ１２０７又はＳ１２０８で検出した「かたまり」が、中央Ｍ×Ｍ枠のうちの枠を１枠は含み、Ｎ×Ｎ枠内のＡＦ枠を所定数以上含む「かたまり」であるかどうかを調べ、そうであればＳ１２１５へ進む。そうでなければＳ１２１２へ進む。Ｓ１２１２では、カウンタＰに１を加える。Ｓ１２１３では、カウンタＰがソート数Ｓよりも大きいどうかを調べ、カウンタＰがソート数Ｓよりも大きければＳ１２１７へ進み、そうでなければＳ１２０６に戻る。
【００４２】
Ｓ１２１４では、Ｓ１２０１での合焦判定結果が○判定かどうかを調べ、○判定であればＳ１２１５へ進み、そうでなければＳ１２１７へ進む。Ｓ１２１５では、主被写体領域が特定できたと判定する。Ｓ１２１６では、かたまりを構成する各ＡＦ枠を主被写体領域と判断して選択して本判定処理を終了する。ここで設定しているＡＦ枠が１枠の場合はその１枠を選択する。Ｓ１２１７では、主被写体領域の特定ができなかったと判定して本判定処理を終了する。
【００４３】
図７は、図４（ａ）におけるＳ８１０のフォーカス駆動を説明するフローチャートである。まず、Ｓ２００１では、主被写体領域が特定できたかどうかを調べ、特定できていればＳ２００２へ進み、そうでなければＳ２００３へ進む。Ｓ２００２では、選択したＡＦ枠中の最至近位置にフォーカスを駆動して本処理を終了する。Ｓ２００３では、中央Ｍ×Ｍ枠中に○判定があるかどうかを調べ、○判定があればＳ２００４へ進み、そうでなければＳ２００５へ進む。Ｓ２００４では、中央Ｍ×Ｍ枠中の○判定のうち最至近位置にフォーカスを駆動して本処理を終了する。Ｓ２００５では、予め記憶している位置（定点）へと移動させて本処理を終了する。ここで、定点は、例えば、被写体の存在確率の高い距離に設定する。
【００４４】
次に、図８は、図２におけるＳ２０９のコンティニュアスＡＦを説明するフローチャートである。まず、Ｓ２１０１では、合焦度判定フラグをＴＲＵＥにする。Ｓ２１０２では、設定した各ＡＦ枠で焦点評価値を取得する。こうしたＡＦ枠は、ＡＦスキャン動作で特定した合焦すべき被写体領域を含み設定した１つ又は複数の焦点検出領域とすることができる。
【００４５】
Ｓ２１０３では、設定しているＡＦ枠が１枠かどうかを調べ、設定しているＡＦ枠が１枠の場合はＳ２１０５へ進み、そうでない場合はＳ２１０４へ進む。Ｓ２１０４では、主被写体領域として選択したＡＦ枠の焦点評価値を用いて演算した評価値をＳ２１０５以降に用いる焦点評価値として設定し直す。これにより、撮影シーンが変化して画面内の主被写体領域が変化しても、常に画面内の主被写体領域の焦点評価値を算出することができる。Ｓ２１０５では、焦点評価値に基づいて合焦度を算出する。本実施例では、焦点評価値に基づいて、合焦度を高、中、低の３段階で決定することにする。Ｓ２１０６では、ＣＰＵ１１５が、撮影準備を指示するＳＷ１の状態（ＯＮ／ＯＦＦ）を判定し、該状態がＯＮ（オン）状態ならば本処理を終了して図２のＳ２１３へ進み、ＯＦＦ（オフ）状態の場合にはＳ２１０７へ進む。Ｓ２１０７では前述したシーン変化判定を行う。
【００４６】
Ｓ２１０８では、ピーク検出フラグがＴＲＵＥであるかどうかを調べ、ＴＲＵＥであればＳ２１２５へ進み、ＦＡＬＳＥであればＳ２１０９へ進む。Ｓ２１０９では、フォーカスレンズ１０４の現在位置を取得する。Ｓ２１１０では、焦点評価値の取得及びフォーカスレンズ１０４の現在位置の取得をカウントするための取得カウンタに１を加える。この取得カウンタは、初期化動作（図示略）において予め０に設定されているものとする。Ｓ２１１１では、取得カウンタの値が１かどうかを調べ、取得カウンタの値が１ならばＳ２１１４へ進み、取得カウンタの値が１でなければＳ２１１２へ進む。Ｓ２１１２では、「今回の焦点評価値」が「前回の焦点評価値」よりも大きいかどうかを調べ、そうであればＳ２１１３へ進み、そうでなければＳ２１２０へ進む。Ｓ２１１３では、増加カウンタに１を加える。Ｓ２１１４では、今回の焦点評価値を焦点評価値の最大値としてＣＰＵ１１５に内蔵される図示しない演算メモリに記憶する。Ｓ２１１５では、フォーカスレンズ１０４の現在の位置を焦点評価値のピーク位置としてＣＰＵ１１５に内蔵される図示しない演算メモリに記憶する。Ｓ２１１６では、今回の焦点評価値を前回の焦点評価値としてＣＰＵ１１５に内蔵される図示しない演算メモリに記憶する。Ｓ２１１７では、フォーカスレンズ１０４の現在位置が焦点検出範囲の端にあるかどうかを調べ、そうであればＳ２１１８へ進み、そうでなければＳ２１１９へ進む。Ｓ２１１８では、フォーカスレンズ１０４の移動方向を反転する。Ｓ２１１９では、フォーカスレンズ１０４を所定量移動する。
【００４７】
Ｓ２１２０では、「焦点評価値の最大値−今回の焦点評価値」が所定量より大きいかどうかを調べ、「焦点評価値の最大値−今回の焦点評価値」が所定量より大きければステップＳ２１２１へ進み、そうでなければステップＳ２１１６へ進む。ここで「焦点評価値の最大値−今回の焦点評価値」が所定量より大きいこと、即ち最大値から所定量減少していれば、その最大値をピントのピーク位置での値とみなす。Ｓ２１２１では、増加カウンタが０より大きいかどうかを調べ、０より大きければＳ２１２２へ進み、０より小さければＳ２１１６へ進む。Ｓ２１２２では、フォーカスレンズ１０４を前記Ｓ２１１５で記憶した焦点評価値が最大値となったピーク位置へ移動させる。Ｓ２１２３では、ピーク検出フラグをＴＲＵＥとする。Ｓ２１２４では、取得カウンタを０とする。Ｓ２１２５では、今回の焦点評価値が焦点評価値の最大値に対して所定割合以上変動したかどうかを調べ、所定割合以上の大きな変動をしていればＳ２１２７へ進み、小さな変動であればＳ２１２６へ進む。Ｓ２１２６では、フォーカスレンズ１０４の位置をそのまま保持する。Ｓ２１２７では、焦点評価値が最大となるフォーカスレンズ位置を再び求め直すため、ピーク検出フラグをＦＡＬＳＥとし、焦点評価値の最大値及びピーク位置をリセットする。Ｓ２１２８では、増加カウンタをリセットする。
【００４８】
以上の様にして、コンティニュアスＡＦ動作では常に主被写体が合焦状態となる様にフォーカスレンズを駆動する。
【００４９】
次に、図９は、図２におけるＳ２１３の撮影処理（前記第２の動作）を説明するフローチャートである。まず、Ｓ２３０１では、ＡＥ処理部１０３で本露光用のＡＥ処理を行う。Ｓ２３０２では、後述する手順に従って本露光用のＡＦを行う（図１０（ａ）参照）。Ｓ２３０３では、ＣＰＵ１１５は撮影スイッチＳＷ２（１２２）の状態（ＯＮ／ＯＦＦ）を判定し、該状態がＯＮならばＳ２３０５へ進むが、ＯＦＦ状態の場合にはＳ２３０４へ進む。Ｓ２３０４では、撮影準備を指示するＳＷ１の状態（ＯＮ／ＯＦＦ）を判定し、該状態がＯＮ（オン）状態ならＳ２３０３へ進み、ＯＦＦ（オフ）状態の場合には本処理を終了する。Ｓ２３０５では、後述する手順に従って本露光処理を行い（図１１参照）、本処理を終了する。
【００５０】
図１０（ａ）は、図９におけるＳ２３０２の本露光用ＡＦを説明するフローチャートである。まず、Ｓ２４０１では本露光用のＡＦ枠設定を行う。本露光用のＡＦ枠設定は、中央領域に所定の大きさで１枠設定しても、Ｎ×Ｎ枠の複数枠で設定してもよい。Ｓ２４０２では、主被写体検出フラグがＴＲＵＥであるかどうかを調べ、ＴＲＵＥであればＳ２４０３へ進み、そうでなければＳ２４０９へ進む。Ｓ２４０３では、Ｓ２１０５で算出した合焦度が「高」であるかどうかを調べ、合焦度が「高」であればＳ２４０４へ進み、そうでなければＳ２４０５へ進む。Ｓ２４０４では、現在のフォーカスレンズ１０４の位置を中心にスキャン範囲を第１の範囲に設定する。ここでは、コンティニュアスＡＦ動作により主被写体にほぼピントが合っている状態、つまり焦点評価値がピークを示す合焦位置付近にフォーカスレンズが位置すると判断して、狭いスキャン範囲を設定する。Ｓ２４０５では、Ｓ２１０５で算出した合焦度が「中」であるかどうかを調べ、合焦度が「中」であればＳ２４０６へ進み、そうでなければＳ２４０７へ進む。Ｓ２４０６では、現在のフォーカスレンズ１０４の位置を中心にスキャン範囲を第２の範囲に設定する。ここでは、コンティニュアスＡＦ動作により合焦位置付近にフォーカスレンズが位置しているが、合焦度が「高」状態ほどではないと判断して第１のスキャン範囲より範囲を広げた狭い範囲とする。Ｓ２４０７では、フォーカスレンズ１０４の現在位置がマクロ領域かどうかを調べ、マクロ領域であればＳ２４０８へ進み、そうでなければＳ２４０９へ進む。Ｓ２４０８では、予め記憶してあるマクロ領域であるスキャン範囲を第３の範囲に設定する。Ｓ２４０９では、スキャン範囲を予め記憶してある測距可能範囲全域である第４のスキャン範囲に設定する。Ｓ２４１０では、後述する手順に従って本露光用ＡＦスキャンを行う。Ｓ２４１１では、後述する図１０（ｂ）のＳ２５０６で算出したピーク位置にフォーカスレンズ１０４を移動させる。
【００５１】
図１０（ｂ）は、図１０（ａ）におけるＳ２４０５の本露光用ＡＦスキャンを説明するフローチャートである。まず、Ｓ２５０１では、フォーカスレンズ１０４をスキャン開始位置へと移動させる。ここでスキャン開始位置とは、図１０（ａ）のＳ２４０４又はＳ２４０６又はＳ２４０８又はＳ２４０９で設定したスキャン範囲の端位置とする。Ｓ２５０２では、撮像素子１０８から読み出されたアナログ映像信号をＡ／Ｄ変換部１０９がデジタル信号に変換し、その出力から画像処理部１１０が輝度信号の高周波成分を抽出し、ＣＰＵ１１５はこれを焦点評価値として記憶させる。Ｓ２５０３では、フォーカスレンズ１０４の現在位置を取得してＣＰＵ１１５が該位置のデータを記憶させる。Ｓ２５０４では、ＣＰＵ１１５がフォーカスレンズ１０４の現在位置がスキャン終了位置と等しいかを調べ、両者が等しい場合にはＳ２５０６へ進み、そうでなければＳ２５０５へ進む。Ｓ２５０５では、フォーカスレンズ１０４をスキャン終了方向へ向かって所定量だけ移動させた後、Ｓ２５０２に戻る。Ｓ２５０６では、Ｓ２５０２で記憶した焦点評価値とそのレンズ位置から、焦点評価値のピーク位置を計算する。焦点評価値のピーク位置を計算するにあたって、ＡＦ枠を複数枠設定した場合は、図５で説明した主被写体領域判定により決定した主被写体領域の最至近ピーク位置に基づいて計算してもよいし、別の判断の仕方をしてピーク位置計算を行ってもよい。
【００５２】
図１１は、図９におけるＳ２３０５の本露光処理を説明するフローチャートである。まず、Ｓ２６０１における撮像素子１０８の露光後に、Ｓ２６０２では撮像素子１０８に蓄積されたデータを読み出す。Ｓ２６０３では、Ａ／Ｄ変換部１０９で撮像素子１０８から読み出したアナログ信号をデジタル信号に変換する。Ｓ２６０４では、画像処理部１１０で、Ａ／Ｄ変換部１０９から出力されるデジタル信号に対して各種画像処理を施す。Ｓ２６０５では、Ｓ２６０４で処理した画像をＣＰＵ１１５の制御下でＪＰＥＧなどのフォーマットにしたがって圧縮する。Ｓ２６０６では、Ｓ２６０５で圧縮したデータを画像記録部１１４に送り、記録させる様にＣＰＵ１１５が制御を行う。
【００５３】
以上説明した様に本実施例によれば、撮影シーンが電子ズーム状態であっても主被写体の検出性能の低下を抑えることが可能となる。そして、撮影準備指示前に主被写体領域を特定してピントを合わせ続けることで、撮影準備指示後に、主被写体に素早くピントをあわせることが可能となる。
【００５４】
（実施例２）
以下、図面を参照しながら本発明の実施例２について説明する。実施例２では、図２のＳ２０５の被写体特定用ＡＦ枠設定に関して、電子ズーム倍率に応じて撮像素子の駆動、焦点評価値を算出する際の抽出する周波数帯域を切り替えることにより、電子ズーム時の焦点評価値の算出の精度低下を抑える。図４（ａ）の被写体領域特定ＡＦスキャンや図５の主被写体領域判定などのその他の動作は、実施例１と同様に行われる。
【００５５】
図１３（ａ）のフローチャートを参照しながら、本実施例における被写体領域特定用ＡＦ枠設定処理について説明する。まず、Ｓ２９０１では、電子ズームをしているかどうかを調べ、電子ズームをしていなければＳ２９０３へ進み、電子ズームしている場合はＳ２９０２へ進む。Ｓ２９０３では、センサの駆動Ａに切り替える。このセンサ駆動Ａとは等倍表示用の駆動である。次にＳ２９０６では、バンドパスフィルタの設定を、抽出する周波数帯域Ａとなる様に設定する。これは、本実施例中では水平方向の輝度の高周波成分を抽出して焦点評価値を算出するものとし、センサ駆動Ａの水平方向の画素数に応じて、適切な周波数帯域の成分を抽出するためである。Ｓ２９０９では、操作表示部１１７に表示される画面のサイズに応じてＡＦ枠の設定を行う。電子ズーム状態でない場合は、図１３（ｂ）に示す様にＡＦ枠の大きさを縦横共に画面の１５％とし、Ｎ＝５で５×５のＡＦ枠設定を実施するものとする。次にＳ２９１０では、被写体領域特定実施フラグをＴＲＵＥに設定し処理を終了する。
【００５６】
先に図２を用いて説明した通り、このフラグ値の状態に応じて、図２のＳ２０８の被写体領域特定スキャンを実施するか、Ｓ２０９のコンティニュアスＡＦを実施するかが切り替わる。ただし、本実施例では、どの場合でもＳ２９１０を経由させることで図２のＳ２０８の被写体領域特定スキャンを実施させる様にする。
【００５７】
一方、電子ズーム状態である場合にはＳ２９０２に進む。Ｓ２９０２では、現在の電子ズーム倍率が２倍か否かを判断し、２倍である場合にはＳ２９０４に進み、２倍でない場合はＳ２９０５に進む。なお、本実施例中における電子ズーム倍率も等倍、２倍、４倍とするが、これに限定されるものではない。Ｓ２９０４では、センサの駆動Ｂに切り替える。センサ駆動Ｂとは、図１３（ｂ）のＡｒｅａＡを拡大する際に、拡大表示される画面の垂直ライン数Ｌｉｎｅ２が図１３（ｂ）のＬｉｎｅ１と等しく、水平画素数Ｐｉｘｅｌ２が図１３（ｂ）のＰｉｘｅｌ１と等しく設定されたセンサ駆動である。次にＳ２９０７では、バンドパスフィルタの設定を、抽出する周波数帯域Ｂとなる様に設定する。Ｓ２９０９では、先に述べた説明と同様に操作表示部１１７に表示される画面のサイズに応じてＡＦ枠の設定を行う。電子ズーム２倍である状態では、図１３（ｃ）に示す様にＡＦ枠の大きさを縦横共に拡大表示した画面の１５％とし、Ｎ＝５で５×５のＡＦ枠設定を実施するものとする。次にＳ２９１０では、被写体領域特定実施フラグをＴＲＵＥに設定し処理を終了する。
【００５８】
また、Ｓ２９０２にて電子ズーム倍率が２倍でない場合にはＳ２９０５に進む。Ｓ２９０５では、センサの駆動Ｃに切り替える。センサ駆動Ｃとは、図１３（ｃ）のＡｒｅａＢを拡大する際に、拡大表示する際の垂直ライン数Ｌｉｎｅ３が図１３（ｃ）のＬｉｎｅ２と等しく、水平画素数Ｐｉｘｅｌ３が図１３（ｃ）のＰｉｘｅｌ２と等しくなる様に設定されたセンサ駆動である。次にＳ２９０８では、バンドパスフィルタの設定を、抽出する周波数帯域Ｃとなる様に設定する。Ｓ２９０９では、先に述べた説明と同様に操作表示部１１７に表示される画面のサイズに応じてＡＦ枠の設定を行う。電子ズーム４倍である状態では、図１３（ｄ）に示す様にＡＦ枠の大きさを縦横共に拡大表示した画面の１５％とし、Ｎ＝５で５×５のＡＦ枠設定を実施するものとする。次にＳ２９１０では、被写体領域特定実施フラグをＴＲＵＥに設定し処理を終了する。
【００５９】
これまで述べてきた本実施例における各センサ駆動、画像データサイズ、画面サイズ、ＡＦ枠サイズ（画面サイズに対する比率）、ＡＦ枠サイズの関係をまとめると次の表２の様になる。
【００６０】
【表２】
2011043633.tif 000004
【００６１】
なお、本実施例のセンサ駆動の実現方法について、撮像素子内での画素加算や不要なライン、画素の間引きが適用できる。例えば、図１３（ｄ）は間引き適用せず拡大領域を切り出した状態である。図１３（ｃ）は拡大領域を切り出した状態の垂直ライン数Ｌｉｎｅ２がＬｉｎｅ１、Ｌｉｎｅ３と同じになる様に間引きを適用する。また図１３（ｂ）は拡大しない状態での垂直ライン数Ｌｉｎｅ１がＬｉｎｅ２、Ｌｉｎｅ３と同じになる様に間引きを適用する。
【００６２】
以上述べてきた様に、本実施例では、電子ズーム倍率を実現する様にセンサ駆動を切り替え、各倍率におけるＡＦ枠の数と大きさを固定し、ＡＦ枠を構成する画素数をどの倍率でも同じになる様に設定する。この様に電子ズーム倍率とセンサ駆動を切り替えることにより、従来の表示の拡大に応じてＡＦ枠内の画素数が少なくなる場合と比べて、焦点評価値のＳ／Ｎの低下を抑えることが可能となる。本実施例によっても、実施例１と同様な効果が得られる。
【符号の説明】
【００６３】
１０４：フォーカスレンズ、１０８：撮像素子（光電変換手段）、１１０：画像処理部（出力信号切り出し手段、抽出手段）、１１５：システム制御部（制御手段）
【図１】
2011043633.tif 000005
【図２】
2011043633.tif 000006
【図３】
2011043633.tif 000007
【図４】
2011043633.tif 000008
【図５】
2011043633.tif 000009
【図６】
2011043633.tif 000010
【図７】
2011043633.tif 000011
【図８】
2011043633.tif 000012
【図９】
2011043633.tif 000013
【図１０】
2011043633.tif 000014
【図１１】
2011043633.tif 000015
【図１２】
2011043633.tif 000016
【図１３】
2011043633.tif 000017